(57)【要約】【課題】光ピックアップから延出されるＦＰＣの可撓性リード部が幅広になっても周囲の部材と干渉を起こす虞がない光ディスク装置を提供すること。【解決手段】光ディスク装置１は、光ピックアップ３からＦＰＣ９の可撓性リード部９ｂがシャーシ２の隅部２ｂへ向かって延出してＵ字状に折り返されており、このＦＰＣ９を介して光ピックアップ３を回路基板８と電気的に接続している。ＦＰＣ９の基端部９ａは光ピックアップ３に固定されており、可撓性リード部９ｂにはスリット９ｓで分割されてなる第１帯状部９１と第２帯状部９２が設けられている。そして、第２帯状部９２の光ピックアップ３側の固定端近傍をカバー部材１２の押圧片１２ａで押し下げた状態に保持することによって、第２帯状部９２の折返し部９２ｒの曲率が第１帯状部９１の折返し部９１ｒの曲率よりも小さくなるようにした。【選択図】図１
2010287263.tif 000002
【特許請求の範囲】
【請求項１】
シャーシの中央部と一隅部を結ぶ直線に沿って移動可能な光ピックアップと、この光ピックアップを制御回路部に電気的に接続するフレキシブルプリント基板とを備え、前記フレキシブル基板が前記光ピックアップからその移動方向へ帯状に延出する可撓性リード部を有すると共に、この可撓性リード部が延出方向の途中でＵ字状に折り返されている光ディスク装置において、
前記可撓性リード部に前記光ピックアップ側の固定端から延出方向へ延びるスリットを形成し、このスリットによって前記可撓性リード部の固定端側を第１帯状部と第２帯状部とに分割すると共に、前記第２帯状部の固定端近傍を押し下げた状態に保持することにより、この第２帯状部の折り返される部分の曲率が前記第１帯状部の折り返される部分の曲率よりも小さくなるように設定したことを特徴とする光ディスク装置。
【請求項２】
請求項１の記載において、前記光ピックアップの上面に取り付けられるカバー部材を備え、このカバー部材に形成した押圧片によって前記第２帯状部の固定端近傍を押し下げた状態に保持していることを特徴とする光ディスク装置。
【請求項３】
請求項１または２の記載において、前記第２帯状部が前記第１帯状部よりも幅狭であることを特徴とする光ディスク装置。
【発明の詳細な説明】
【技術分野】
【０００１】
本発明は、光ピックアップをリニアに移動できるように組み込んでＣＤやＤＶＤ、ＢＤ（ブルーレイディスク：登録商標）等の光ディスクに対して情報の記録および／または再生を行う光ディスク装置に係り、特に、光ピックアップから帯状に延出して制御回路部に接続されるフレキシブルプリント基板に関するものである。
【背景技術】
【０００２】
図７〜図９は従来より知られている光ディスク装置の概略構成を説明するためのものである。図７に示す光ディスク装置３０には、シャーシ３１の円板部３１ａに取り付けられた図示せぬディスク駆動機構や、シャーシ３１に対してリニアに往復移動可能な光ピックアップ３２（図８，９参照）や、光ピックアップ３２の往復移動を案内するガイド軸３３，３４と図示せぬモータ、歯車群等を含む光ピックアップ移送機構などが配設されている。光ディスクは前記ディスク駆動機構に装填されて回転駆動され、この光ディスクの信号面に対して光ピックアップ３２が対物レンズ３５を介してレーザ光を照射することにより、光ディスクに記録されている信号の再生や光ディスクへの信号の記録が行えるようになっている。かかる光ディスク装置３０において、シャーシ３１の図示省略されている部分に担持された回路基板３６には制御回路部が配設されており、この制御回路部と光ピックアップ３２とはフレキシブルプリント基板３７（以下、ＦＰＣと略称）を介して電気的に接続されている。ＦＰＣ３７の一端部（基端部）は光ピックアップ３２に固定されてレンズアクチュエータ３８やレーザユニット３９等に接続されており、この一端部から可撓性リード部３７ａが帯状に延出して他端部（先端部３７ｂ）が回路基板３６に固定されている。なお、この種の光ディスク装置３０においては、通常、平面視略方形状のシャーシ３１（図７では一部図示省略）の対角線方向に光ピックアップ３２を移動させるように構成されており、こうすることによって、光ディスク装置３０に装填された光ディスクの径方向外側に光ピックアップ３２の移動スペースを確保しつつ、光ディスク装置３０の大きさを極力小型に設計することができる。
【０００３】
ＦＰＣ３７の可撓性リード部３７ａは、光ディスク装置３０のシャーシ３１に対する光ピックアップ３２の往復移動に追従できるようにＵ字状に折り返されている（図７，８参照）。すなわち、ＦＰＣ３７の可撓性リード部３７ａは、光ピックアップ３２からシャーシ３１の一隅部３１ｂへ向かって延びてＵ字状に折り返された後、光ピックアップ３２の底面に沿うようにシャーシ３１の内方（円板部３１ａ側）へ延びており、ＦＰＣ３７の先端部３７ｂが回路基板３６の制御回路部に接続されている（例えば、特許文献１参照）。そのため、光ピックアップ３２がシャーシ３１の隅部３１ｂへ向かって外方へ移動するのに伴い、可撓性リード部３７ａの撓み形状は徐々に変化してＵ字状の折返し部３７ｒが前記基端部側へ移行するようになっている。なお、図９ではＦＰＣ３７の可撓性リード部３７ａを展開させた状態を示している。
【先行技術文献】
【特許文献】
【０００４】
【特許文献１】特開２００８−１１７４３７号公報
【発明の概要】
【発明が解決しようとする課題】
【０００５】
ところで、近年、ＣＤやＤＶＤに加えてＢＤ（ブルーレイディスク）にも対応できる光ディスク装置が実用化されている。この種の光ディスク装置では、ＦＰＣ３７の可撓性リード部３７ａにＣＤ用とＤＶＤ用の信号ラインに加えてＢＤ用の信号ラインも形成しなければならないため、必然的にＦＰＣ３７の可撓性リード部３７ａは幅広になってしまう。しかるに、小型化された光ディスク装置において、シャーシ３１の隅部３１ｂ付近まで移動した光ピックアップ３２の外側に広いスペースを確保することはできないので、ＦＰＣ３７の可撓性リード部３７ａが幅広になると、光ピックアップ３２が最も外方へ移動したときに、可撓性リード部３７ａの折返し部３７ｒが近傍のシャーシ３１等に当接して干渉を起こしやすくなるという問題があった。なお、ＦＰＣ３７の可撓性リード部３７ａにこうした干渉が頻繁に起こると、可撓性リード部３７ａによって光ピックアップ３２の往復移動が阻害されたり、可撓性リード部３７ａ自体が損傷して信号ラインの断線等に至る危険性がある。また、ＢＤ対応でない光ディスク装置であっても、多回路化や小型化が促進された場合には同様の問題が発生する。
【０００６】
本発明は、このような従来技術の実情に鑑みてなされたもので、その目的は、光ピックアップから延出されるＦＰＣ（フレキシブルプリント基板）の可撓性リード部が幅広になっても周囲の部材と干渉を起こす虞がない光ディスク装置を提供することにある。
【課題を解決するための手段】
【０００７】
本発明の光ディスク装置は、ＦＰＣの可撓性リード部にスリットを形成することによって一対の帯状部を並設し、このうち一方の帯状部の光ピックアップ側の固定端近傍を押し下げた状態に保持することによって、一方の帯状部の折返し部の曲率が他方の帯状部の折返し部の曲率よりも小さくなるようにした。
【発明の効果】
【０００８】
本発明の光ディスク装置によれば、ＦＰＣの可撓性リード部にスリットで分割されてなる第１帯状部と第２帯状部が設けてあり、このうち光ピックアップ側の固定端近傍が押し下げられている第２帯状部が第１帯状部よりも小さなＵ字状に折り返されるため、可撓性リード部との干渉が懸念される周囲の部材と近接する側に第２帯状部を配置させることにより、光ピックアップが最も外方へ移動したときでも両者の干渉を回避することができる。それゆえ、多回路化に伴って可撓性リード部が幅広になっても周囲の部材と干渉を起こしにくく、装置全体の小型化にも好適である。また、ＦＰＣの可撓性リード部が幅広になると、折返し部の曲げ応力が増大して光ピックアップの円滑な移動を妨げる危険性があるが、可撓性リード部の折返し部がスリットによって第１帯状部と第２帯状部とに分割されていれば、これら各帯状部の折返し部の曲げ応力は小さくなるので、光ピックアップの移動に悪影響を及ぼす虞がなくなる。
【図面の簡単な説明】
【０００９】
【図１】本発明の実施例に係る光ディスク装置の内部構造を一部図示省略して示す下方斜視図である。
【図２】図１の光ディスク装置に組み込まれた光ピックアップおよびＦＰＣの上方斜視図である。
【図３】図２の光ピックアップおよびＦＰＣを該ＦＰＣの折返し部側から見た正面図である。
【図４】図２の光ピックアップおよびＦＰＣを図３とは異なる方向から見た側面図である。
【図５】図１〜図４に示すＦＰＣの斜視図である。
【図６】図５のＦＰＣの可撓性リード部を展開させた状態を示す斜視図である。
【図７】従来例に係る光ディスク装置の内部構造を一部省略して示す下方斜視図である。
【図８】図７の光ディスク装置に組み込まれた光ピックアップおよびＦＰＣの上方斜視図である。
【図９】図８のＦＰＣの可撓性リード部を展開させた状態を示す斜視図である。
【発明を実施するための形態】
【００１０】
本発明は、シャーシの中央部と一隅部を結ぶ直線に沿って移動可能な光ピックアップと、この光ピックアップを制御回路部に電気的に接続するフレキシブルプリント基板とを備え、前記フレキシブル基板が前記光ピックアップからその移動方向へ帯状に延出する可撓性リード部を有すると共に、この可撓性リード部が延出方向の途中でＵ字状に折り返されている光ディスク装置において、前記可撓性リード部に前記光ピックアップ側の固定端から延出方向へ延びるスリットを形成し、このスリットによって前記可撓性リード部の固定端側を第１帯状部と第２帯状部とに分割すると共に、前記第２帯状部の固定端近傍を押し下げた状態に保持することにより、この第２帯状部の折り返される部分の曲率が前記第１帯状部の折り返される部分の曲率よりも小さくなるように設定した。
【００１１】
このように構成された光ディスク装置では、ＦＰＣ（フレキシブルプリント基板）の可撓性リード部に設けられた第１帯状部と第２帯状部のうち、光ピックアップ側の固定端近傍が押し下げられている第２帯状部が第１帯状部よりも小さなＵ字状に折り返されるため、この第２帯状部の折返し部は周囲の部材に当接しにくい。したがって、可撓性リード部との干渉が懸念される周囲の部材と近接する側に第２帯状部を配置させることにより、光ピックアップが最も外方へ移動したときでも両者の干渉を回避することができる。また、ＦＰＣの可撓性リード部が幅広になると、折返し部の曲げ応力が増大して光ピックアップの円滑な移動を妨げる危険性があるが、可撓性リード部の折返し部がスリットによって第１帯状部と第２帯状部とに分割されていれば、これら各帯状部の折返し部の曲げ応力は小さくなるので、光ピックアップの移動に悪影響を及ぼす虞がなくなる。
【００１２】
上記の構成において、光ピックアップの上面に取り付けられるカバー部材を備え、このカバー部材に形成した押圧片によって第２帯状部の固定端近傍を押し下げた状態に保持すれば、構造を複雑化したり部品点数や組立工数を増加することなく第２帯状部を所望形状にフォーミングできるため好ましい。なお、カバー部材は光ピックアップの放熱性や防塵性を高めつつＦＰＣを光ピックアップに固定するために用いられる公知のものであり、通常は金属板にて形成されている。
【００１３】
また、上記の構成において、各帯状部の幅寸法は特に限定されないが、第２帯状部が第１帯状部よりも幅狭であると、第１帯状部に比べて折返し部の曲率が小さい方の第２帯状部が撓みやすくなって好ましい。
【実施例】
【００１４】
以下、実施例について図１〜図６を参照しつつ説明する。図１に示すように、本実施例に係る光ディスク装置１には、シャーシ２の円板部２ａに取り付けられた図示せぬディスク駆動機構や、シャーシ２に対してリニアに往復移動可能な光ピックアップ３（図２〜４参照）や、光ピックアップ３の往復移動を案内するガイド軸４，５と図示せぬモータ、歯車群等を含む光ピックアップ移送機構などが配設されている。この光ディスク装置１は車載用であり、図１ではシャーシ２の一部だけを示しているが、ベース部材であるシャーシ２の全体は平面視略正方形状となっている。そして、シャーシ２の図示省略されている部分あるいは別の固定部材に回路基板８が担持されており、この回路基板８に設けられた制御回路部と光ピックアップ３とがＦＰＣ（フレキシブルプリント基板）９を介して電気的に接続されている。光ディスクは前記ディスク駆動機構に装填されて回転駆動され、この光ディスクの信号面に対して、光ピックアップ３が対物レンズ６または対物レンズ７を介してレーザ光を照射することによって、光ディスクに記録されている信号の再生や、光ディスクへの信号の記録が行えるようになっている。
【００１５】
光ピックアップ３は、アルミニウム合金等からなる移動ベース１３に、対物レンズ６，７を可動状態に支持するレンズアクチュエータ１０や、半導体発光素子および光検出器を搭載したレーザユニット（ホログラムユニット）１１や、図示せぬミラーやプリズム等を担持して構成されている。移動ベース１３の両側部にはガイド孔１３ａとガイド溝１３ｂが設けられており、これらガイド孔１３ａとガイド溝１３ｂがガイド軸４，５と摺動可能に係合することにより、光ピックアップ３はシャーシ２の中央部と一隅部２ｂを結ぶ直線に沿って往復移動するようになっている。なお、本実施例において、対物レンズ６はＢＤ（ブルーレイディスク）用であり、対物レンズ７はＣＤおよびＤＶＤ用である。
【００１６】
ＦＰＣ９は図６の展開図に示すような全体形状をしており、概略方形状にフォーミングされた一端部（基端部９ａ）から可撓性リード部９ｂが帯状に延出して他端部（先端部９ｃ）に至っている。ＦＰＣ９の基端部９ａは光ピックアップ３に固定されて、レンズアクチュエータ１０やレーザユニット１１等に接続されている。可撓性リード部９ｂには、基端部９ａとの境界（光ピックアップ３側の固定端）から先端部９ｃに向かって所定長さだけ延びるスリット９ｓが形成されており、このスリット９ｓを挟んで第１帯状部９１とやや幅狭な第２帯状部９２とが並んで延在している。つまり、スリット９ｓによって可撓性リード部９ｂの基端部９ａ寄りの所定領域が第１帯状部９１と第２帯状部９２とに分割されている。可撓性リード部９ｂにはＣＤ用とＤＶＤ用の信号ラインに加えてＢＤ用の信号ラインも形成されているため、この可撓性リード部９ｂは比較的幅広である。また、図５に示すように、第２帯状部９２には基端部９ａとの境界付近にＬ字状の段部９２ａが形成されており、この段部９２ａによって第２帯状部９２の折返し部９２ｒの曲率は第１帯状部９１の折返し部９１ｒの曲率よりも小さくなっている（図４参照）。この段部９２ａは後述するカバー部材１２の押圧片１２ａで押し下げることによって形成されたものである。なお、第１帯状部９１の折返し部９１ｒは第２帯状部９２の折返し部９２ｒに比べて曲率の大きなＵ字状に折り返されるため、図４に示すように、この折返し部９１ｒに覆われる広いスペースを利用して可変抵抗器など高さ寸法の大きい調整用電気部品２０、あるいはレーザ光の受発光に関わる電気部品を光ピックアップ３の側面に、その厚み方向全体に亘って配設している。
【００１７】
図２に示すように、光ピックアップ３の上面にはＦＰＣ９の基端部９ａを拘持する板金製のカバー部材１２が取り付けられている。このカバー部材１２は光ピックアップ３の放熱性や内部の光学部品の防塵性を高めつつＦＰＣ９の基端部９ａを光ピックアップ３に固定するために用いられる公知のものであるが、本実施例では、カバー部材１２の一側縁に下向きの押圧片１２ａが一体形成してある。そして、カバー部材１２を光ピックアップ３に取り付けると、押圧片１２ａが第２帯状部９２の基端部９ａ側の端部を押し下げた状態に保持するようにしてあり、これにより、第２帯状部９２に前記段部９２ａが自動的に形成されるようになっている。
【００１８】
図１に示すように、ＦＰＣ９の可撓性リード部９ｂは、光ピックアップ３からシャーシ２の隅部２ｂへ向かって延びて、第１および第２帯状部９１，９２がそれぞれＵ字状に折り返された後、光ピックアップ３の底面に沿うようにシャーシ２の内方（円板部２ａ側）へ延びており、ＦＰＣ９の先端部９ｃが回路基板８の制御回路部に接続されている。この光ピックアップ３はシャーシ２の中央部と一隅部２ｂを結ぶ直線に沿って（すなわち、シャーシ２の対角線方向）移動するので、光ピックアップ３が最も外方へ移動すると、図１に示すように、第１および第２帯状部９１，９２の折返し部９１ｒ，９２ｒがシャーシ２の隅部２ｂに近接した状態となる。ここで、本実施例では多回路化に伴って可撓性リード部９ｂが比較的幅広となっているため、光ピックアップ３が最も外方へ移動したときに、可撓性リード部９ｂのＵ字状の折返し部がシャーシ２の隅部２ｂにおいて周囲の部材と干渉する可能性があるが、干渉の虞のある部材（図１のＡ部）と近接する側に第２帯状部９２を配置させることにより、両者の干渉を回避している。つまり、第２帯状部９２の折返し部９２ｒは小さなＵ字状に折り返されるため、この折返し部９２ｒが周囲の部材と干渉を起こしにくくなっている。なお、光ピックアップ３がシャーシ２の隅部２ｂへ向かって外方へ移動すると、可撓性リード部９ｂの撓み形状が徐々に変化してＵ字状の折返し部９１ｒ，９２ｒが基端部９ａ側へ移行し、その逆に光ピックアップ３がシャーシ２の内方へ移動すると、折返し部９１ｒ，９２ｒが先端部９ｃ側へ移行するようになっている。
【００１９】
以上説明したように、本実施例に係る光ディスク装置１では、ＦＰＣ９の可撓性リード部９ｂにスリット９ｓで分割された第１帯状部９１と第２帯状部９２を設け、このうち光ピックアップ３側の固定端近傍を押し下げた第２帯状部９２が第１帯状部９１よりも小さなＵ字状に折り返されるようにしてある。そして、シャーシ２の隅部２ｂにおいて可撓性リード部９ｂとの干渉が懸念される部材と近接する側に第２帯状部９２を配置させているため、光ピックアップ３が最も外方へ移動したときにも、可撓性リード部９ｂと周囲の部材とが干渉を起こさないように配慮されている。つまり、この光ディスク装置１は、多回路化によりＦＰＣ９の可撓性リード部９ｂが幅広になっても周囲の部材と干渉を起こしにくく、装置全体の小型化にも好適である。また、可撓性リード部９ｂが幅広になると、折返し部の曲げ応力が増大して光ピックアップ３の円滑な移動を妨げる危険性があるが、可撓性リード部９ｂの折返し部がスリット９ｓによって第１帯状部９１と第２帯状部９２とに分割されていれば、これら各帯状部９１，９２の折返し部９１ｒ，９２ｒの曲げ応力は小さいので、光ピックアップ３の移動に悪影響を及ぼす虞がなくなる。
【００２０】
また、本実施例に係る光ディスク装置１では、光ピックアップ３の上面にカバー部材１２を取り付けると、カバー部材１２に形成した押圧片１２ａによって第２帯状部９２の光ピックアップ３側の固定端近傍が押し下げられた状態に保持されて、段部９２ａが自動的に形成されるようにしてある。そのため、構造を複雑化したり部品点数や組立工数を増加することなく、第２帯状部９２を所望形状にフォーミングすることができる。ただし、カバー部材１２とは別の部材によって第２帯状部９２の光ピックアップ３側の固定端近傍を押し下げるようにしてもよい。
【００２１】
なお、本実施例では、小さなＵ字状に折り返される第２帯状部９２を撓みやすくするために、第２帯状部９２を第１帯状部９１よりも幅狭に形成しているが、可撓性リード部９ｂの幅方向中央部にスリット９ｓを形成して、第１帯状部９１と第２帯状部９２を同等の幅寸法に設定してもよい。
【００２２】
また、上記の実施例では、ＣＤとＤＶＤに加えてＢＤにも対応できる光ディスク装置について説明したが、ＢＤ対応でない光ディスク装置であっても、多回路化や小型化が促進された場合には、本発明を適用することによって同様の効果が期待できる。
【符号の説明】
【００２３】
１  光ディスク装置
２  シャーシ
２ｂ  隅部
３  光ピックアップ
６，７  対物レンズ
８  回路基板（制御回路部）
９  フレキシブルプリント基板（ＦＰＣ）
９ｂ  可撓性リード部
９ｓ  スリット
１２  カバー部材
１２ａ  押圧片
９１  第１帯状部
９１ｒ  折返し部
９２  第２帯状部
９２ａ  段部
９２ｒ  折返し部
【図１】
2010287263.tif 000003
【図２】
2010287263.tif 000004
【図３】
2010287263.tif 000005
【図４】
2010287263.tif 000006
【図５】
2010287263.tif 000007
【図６】
2010287263.tif 000008
【図７】
2010287263.tif 000009
【図８】
2010287263.tif 000010
【図９】
2010287263.tif 000011